(57)【要約】【課題】  ポケットの縁が薄かったり、クリップの玉部の係合機構が複雑であったりしていると、クリップがポケットの縁を狭持しないまま、つまり、クリップが持ち上がらないままの状態でポケットに入れてしまうことがあった。そして、その結果、チップの先端がポケットに接触してしまい、ポケットをひどく汚してしまう危険性があった。【解決手段】  相対的に回転が可能な前軸部と後軸部から構成される軸筒に筆記体ユニットを出没自在に配置した回転繰り出し式筆記具であって、前記軸筒にクリップを取付けると共に、そのクリップによって前記筆記体ユニットの突出状態を解除し、没入状態へとする解除手段を前記クリップに設けた回転繰り出し式筆記具において、前記クリップの先端近傍に突状の挟持部を設けると共に、その挟持部と離隔した位置に前記筆記体ユニットの解除手段を配置した回転繰り出し式筆記具。【選択図】        図１
2008162066.tif 000002
【特許請求の範囲】
【請求項１】
相対的に回転が可能な前軸部と後軸部から構成される軸筒に筆記体ユニットを出没自在に配置した回転繰り出し式筆記具であって、前記軸筒にクリップを取付けると共に、そのクリップによって前記筆記体ユニットの突出状態を解除し、没入状態へとする解除手段を前記クリップに設けた回転繰り出し式筆記具において、前記クリップの先端近傍に突状の挟持部を設けると共に、その挟持部と離隔した位置に前記筆記体ユニットの解除手段を配置したことを特徴とする回転繰り出し式筆記具。
【請求項２】
前記解除手段を軸筒とクリップとの連結部の近傍に設けたことを特徴とする請求項１記載の回転繰り出し式筆記具。
【発明の詳細な説明】
【技術分野】
【０００１】
本発明は、相対的に回転が可能な前軸と後軸から構成される軸筒に筆記体ユニットを出没自在に配置した回転繰り出し式筆記具であって、前記軸筒の後軸にクリップを取付けると共に、そのクリップによって前記筆記体ユニットの突出状態を解除し、没入状態へとする解除手段を前記クリップに設けた回転繰り出し式筆記具に関する。
【背景技術】
【０００２】
軸筒の後端から突出しているノック棒を押してボールペン体のチップを突出させ、再度ノック棒を押すことで前記チップを収納するダブルノック機構を備えると共に、クリップの係合玉と回転子の係合リブとを係合させてチップの突出状態を保持し、前記クリップの係合玉が持ち上げられると収納されるセーフティー機構を有する筆記具が知られている。
クリップがポケットの縁などによって持ち上げられた際、回転子との係合が解除され、チップが収納されるというものである。これによって、チップによるポケットの汚れなどが防止される。
【特許文献１】特開平９−１１８０９５号公報。
【発明の開示】
【発明が解決しようとする課題】
【０００３】
しかし、ポケットの縁が薄かったり、クリップの玉部の係合機構が複雑であったりしていると、クリップがポケットの縁を狭持しないまま、つまり、クリップが持ち上がらないままの状態でポケットに入れてしまうことがあった。そして、その結果、チップの先端がポケットに接触してしまい、ポケットをひどく汚してしまう危険性があった。
尚、回転繰り出し式筆記具にあっては、前記軸筒の筆記具を前軸と回転後軸とに分割させ、回転後軸を回転することで、筆記体ユニットを出没自在にした機構となっている。よって、回転後軸を回転することで、回転後軸に構成されたクリップの係合玉と回転子の係合リブの位置がずれてしまい、前記のようなセーフティー機構を採用することは困難であった。
【課題を解決するための手段】
【０００４】
本発明は、相対的に回転が可能な前軸部と後軸部から構成される軸筒に筆記体ユニットを出没自在に配置した回転繰り出し式筆記具であって、前記軸筒にクリップを取付けると共に、そのクリップによって前記筆記体ユニットの突出状態を解除し、没入状態へとする解除手段を前記クリップに設けた回転繰り出し式筆記具において、前記クリップの先端近傍に突状の挟持部を設けると共に、その挟持部と離隔した位置に前記筆記体ユニットの解除手段を配置したことを要旨とする。
【発明の効果】
【０００５】
本発明は、相対的に回転が可能な前軸部と後軸部から構成される軸筒に筆記体ユニットを出没自在に配置した回転繰り出し式筆記具であって、前記軸筒にクリップを取付けると共に、そのクリップによって前記筆記体ユニットの突出状態を解除し、没入状態へとする解除手段を前記クリップに設けた回転繰り出し式筆記具において、前記クリップの先端近傍に突状の挟持部を設けると共に、その挟持部と離隔した位置に前記筆記体ユニットの解除手段を配置したので、クリップが容易に軸筒から離隔し、これによって確実に筆記体ユニットが軸筒内に没入する。
【発明を実施するための最良の形態】
【０００６】
回転繰り出し式筆記具の構成要素について説明する。軸筒１からなる筆記具であり、前軸部２と後軸部３で構成されている。前軸部２は先前軸４と後前軸５で構成されている。先前軸４の後方に後前軸５が螺合などの手段によって、着脱自在に固定されており、その先前軸４の外周には、弾力性を有するゴムグリップ６が嵌入されている。また、後前軸５の後方には、クリップ１６を有する回転後軸７が後軸部３として嵌着されている。
更に、後前軸５は、回転後軸７を嵌着するための凹部８を有し、前記回転後軸７には、前記後前軸５の凹部８が嵌まり込み嵌着する凸部９が形成され、回転を自在にした嵌着構造となっている。前記後前軸５の内側には、繰り出しカム軸１０の回転方向の位置決めをする位置決め溝１１が形成されている。繰り出しカム軸１０には、前記後前軸５に形成されている位置決め溝１１に挿入され遊嵌するように、位置決めリブ１２が形成している。
前記後前軸５と繰り出しカム軸１０は、後前軸５の位置決め溝１１と繰り出しカム軸１０の位置決めリブ１２により、軸筒１の軸線上１３に対して平行方向のみの前後動を自在としている。
筆記体ユニット１４は、軸筒１の内側に配置されており、その筆記体ユニット１４の後端が前記繰り出しカム軸１０の内壁面部に当接している。また、その筆記体ユニット１４は、前記前軸部２の内側に内設されたコイルスプリングなどの弾発部材１５により後方に向けて付勢されると共に、前記繰り出しカム軸１０をも後方に向けて付勢させている。
クリップ１６は、前記回転後軸７の圧入孔７ａに圧入・固着され連結されている。また、クリップ１６の前方部には玉部１７が形成された狭持部１８が設けられており、その玉部１７と後前軸５、或いは、回転後軸７の間に狭持物１９が挟み込まれることによって、その狭持物１９を挟持するものとなっている。
【０００７】
前記繰り出しカム軸１０の外周であって後方には、第１螺旋溝２０と第２螺旋溝２１が前後の２段に形成されている。前記繰り出しカム軸１０の第２螺旋溝２１の螺旋溝最後方部２２には、後述するクリップ１６の係合突起２３と係合する凸状の係合受部２４が形成さている。一方、前記回転後軸７の内側には前記繰り出しカム軸１０の第１螺旋溝２０と遊嵌するボス２５が形成されている。尚、本例においては、係合突起２３やボス２５の相対的な移動を容易となすために第２螺旋溝２１を形成しているが、必ずしも必要なものではなく、係合受部２４のみを形成しても良い。
前記クリップ１６の後方部に係着された係着体２６には、前記繰り出しカム軸１０の第２螺旋溝２１の螺旋溝最後方部２２に形成された係合受部２４と係合する係合突起２３が形成され、この係合突起２３の先端部には凹部２３ａが形成されている。その係合突起２３は、前記係着体２６のほぼ中央部に形成されており、前記挟持部１８の玉部１７とは離隔した位置に形成されている。また、前記回転後軸７には、クリップ１６の係着体２６に形成された係合突起２３が軸筒１の軸線上１３に対し垂直方向に侵入するための貫通孔２７が形成されている。
【０００８】
前記クリップ１６の構成について説明する。クリップ１６は、前記回転後軸７の圧入孔７ａに圧入・固着され連結されている連結部２８と、弾性力を有し前記前軸部２方向へ折り曲げられた折り返し部２９と、その折り返し部２９の近傍に係着したクリップ係着体２６と、そのクリップ係着体２６と連動する前記係合突起２３とから構成されている。さらに、そのクリップ１６の前方向には、前記狭持物１９を狭持するクリップ狭持部１８が形成されており、そのクリップ挟持部１８の先端の近傍には玉部１７が形成されている。
前記クリップ係合突起２３は、前記後軸部３から前軸部２の軸筒１の軸線上１３と同一方向に伸びた前記クリップ１６の部材であり、係着体２６に形成されている。前記玉部１７は、前記狭持物１９との接触する軸筒１面側に円弧部３０を形成し更に円弧部３０と連なる前方方向に傾斜面部３１、並びに、円弧部３０と連なる後方方向に傾斜面部３２を有している。これにより、柔軟性を有している狭持物１９であっても、引っ掛かることなくスムーズに狭持できる。
【０００９】
前記クリップ１６は、折り返し部２９、並びに、クリップ狭持部１８が弾性変形することで、クリップ１６の玉部１７が狭持物１９を弾性力で狭持する。よって、クリップ１６の係着体２６、並びに、係合突起２３は、ポリカーボネート、ポリアセタール、ポリエチレンテレフタレート、メタクリル、ポリプロピレン、ポリスチレン、塩化ビニル、ポリアミド、アクリロニトリル・ブタジエン・スチレン、アクリロニトリル・スチレン、ポリエチレン、ポリスチレン等の樹脂材で形成することが好ましく、金属としては、ばね鋼鋼材やばね用ステンレス鋼材、炭素工具鋼鋼材、ばね用冷間圧延鋼材等が好ましい。前記樹脂材と前記ばね用鋼材の複合でも良い。
【００１０】
本実施例における前記筆記体ユニット１４は、ボールペン体であり、そのボールペン体の内部には、油性インキが収納されているが、水性インキなどであっても良い。その筆記体ユニット（ボールペン体）は、筆記部となるペン先３３と、そのペン先３３の後方に固定され、前記油性インキを収納するパイプ状のリフィール３３ａから構成されている。尚、ボールペン体に換え、シャープペンシルユニットを配置しても良い。ちなみに、そのシャープペンシルユニットは、複数の芯を収容する芯タンクや、その芯タンクの前方に固定され芯の把持・開放を行うチャック体、並びに、そのチャック体の開閉を行うチャックリングや前記チャック体や芯タンクなどを後方に向けて付勢するチャックスプリングなどから構成される。
【００１１】
次に、前記筆記体ユニット１４の没入状態について説明する。前記筆記体ユニット１４が弾発部材１５により軸筒１の後方へと付勢され、その筆記体ユニット１４の後方に当接係着された前記繰り出しカム軸１０が繰り出しカム軸１０の前記第１螺旋溝壁３５の螺旋溝最前方部３４で前記回転後軸７のボス２５と係合状態にある。このとき、前記繰り出しカム軸１０が軸筒１に対し最後方で停止し維持された状態である。その繰り出しカム軸１０の前方に当接係着した前記筆記体ユニット１４も弾発部材１５の弾発力によって後方へと付勢されている。
次に筆記体ユニット１４が没入状態から突出状態になる状態を示す。前記弾性部材１５により後方に付勢された筆記体ユニット１４は、前記繰り出しカム軸１０が最後方で停止していることで没入状態となっている。この没入状態から前記前軸部２に対して回転後軸７を繰り出しカム軸１０の係合受部２３に向け軸筒１の軸線上１３を中心に回転させると、前記回転後軸７に形成されたボス２５も共に回転する。そのボス２５の回転に伴って、前記繰り出しカム軸１０は、ボス２５と当接遊嵌している第１螺旋溝壁３５の傾斜に沿って軸筒１の前方へ移動する。前記後前軸５と繰り出しカム軸１０は、後前軸５に対して回転は不可能であるが、前後動は可能となっているからである。つまり、後前軸５の位置決め溝１１に繰り出しカム軸１０の位置決めリブ１２が嵌まり込んでいるのである。
前記繰り出しカム軸１０が最前方へと移動完了した時点で、前記繰り出しカム軸１０の係合受部２４と前記クリップ１６の係合突起２３が係合する。この係合により、前記繰り出しカム軸１０は、最前方で停止した状態を維持することになり、繰り出しカム軸１０の前方に当接係着した筆記体ユニット１４も前記弾発部材１５を収縮させたて突出状態となる。
次に、前記筆記体ユニット１４が突出状態から、没入状態になる過程を示す。前記回転後軸７を前軸部２に対して軸筒１の軸線上１３を中心に前記繰り出しカム軸１０の係合受部２４から前記螺旋溝最前方部３４に向かって回転する。その回転後軸７の回転により、回転後軸７に連結されているクリップ１６の係合突起２３と繰り出しカム軸１０の係合突起２３との係合が外れ解除される。詳述すると、前記回転後軸７の回転に伴い繰り出しカム軸１０は、前記ボス２５と当接遊嵌している繰り出しカム軸１０の第１螺旋溝壁２５の傾斜に沿って、相対的に後方のみへと移動し、前記ボス２５と繰り出しカム軸１０の螺旋溝部３７の螺旋溝最前方部３４が係合維持することで、繰り出しカム軸１０は軸筒１に対して最後方に停止し、その状態を維持する。この繰り出しカム軸１０の後退動作に伴い前記繰り出しカム軸１０の前方に当接係着している筆記体ユニット１４も前記弾発部材１５の付勢により後方へと後退し没入状態となる。
【００１２】
前記クリップ１６の狭持部１８が前記軸筒１の軸線上１３に対して垂直方向に付勢され、クリップ１６の玉部１７と後前軸５の外周面３９が接触している状態を、クリップ１６が「閉鎖する」と称す。また、クリップ１６の玉部１７が前記軸筒１の軸線上１３に対して垂直方向に離れ離間し回転後軸７の外周面３９から離れた状態をクリップ１６が「拡開する」と称す。
【００１３】
次に、本実施例のセーフティー機構について説明する。セーフティー機構とは、前記回転後軸７とクリップ１６との間に衣服のポケットなどの峡持物１９を峡持した場合に、クリップ１６が拡開し、筆記体ユニット１４が突出状態から没入状態になる機構である。つまり、クリップ１６に挟持物１９が挟持されると、クリップ１６の係合突起２３と繰り出しカム軸１０の係合受部２４との係合が外れ解除される。その解除により筆記体ユニット１４が没入状態となるのである。
次に、前記セーフティー機構の詳細を説明する。前述したように、繰り出しカム軸１０の係合受部２４がクリップ係合突起２３に係合することによって、筆記体ユニット１４の突出状態が維持されている。
前記クリップ１６の拡開動作は、クリップ１６の狭持部１８と後前軸５、または、回転後軸７の間に峡持物１９を挟むことによりなされ、そのクリップ１６の拡開動作に伴い、クリップ１６の係合突起２３が繰り出しカム軸１０の係合受部２４から離間し係合が解除される。この係合の解除により、繰り出しカム軸１０は、記筆記体ユニット１４を後方へ付勢している弾発部材１５によって後退すると共に、筆記体ユニット１４も後方へと押し上げられる。その時、回転後軸７は、繰り出しカム軸１０の第１螺旋溝２０と遊嵌している回転後軸７のボス２５により、前記第１螺旋溝壁３５の傾斜面に沿って、繰り出しカム軸１０の螺旋溝部３７の螺旋溝最前方部３４に向かって回転する。この回転動作に伴い、軸筒１に対し前後動のみ自在とした繰り出しカム軸１０が後方へと移動し、筆記体ユニット１４が没入状態となる。
【００１４】
その他の係合解除手段について説明する。クリップ係着体２６は、クリップ１６に係着し前記クリップ係合突起２３を具備していることは、前述の通りである。そのクリップ係着体２６は、狭持部１８を開く際に支点となる表面部４１を有しており、その表面部４１は、前記回転後軸５の凸部４２に載置された状態となっている。つまり、クリップ係着体２６の軸筒１と対峙した最後方部面４０を、その軸筒１の軸線上１３に対し垂直方向に押圧することによっても拡開させることができるものとなっている。
前記クリップ１６の支点なる表面部４１をクリップ係合突起２３よりも後方に配置したことで、クリップ係着体２６の最後方部面４０を軸筒１の軸線上１３に対し垂直方向に押圧することによって、クリップ１６の狭持部１８が拡開すると共に、クリップ係着体２６と連動したクリップ係合突起２３が繰り出しカム軸１０の係合受部２４から離隔し、クリップ係合突起２３と係合受部２４との係合が解除される。
【００１５】
第２例を説明する。前記筆記体ユニット１４の出没状態の解除手段を、軸筒５０の後方に配置した回転後軸５１と、その回転後軸５１とクリップ５２との連結部５３の近傍ではあるが、連結部５３より後方５４に配置した例である。前記第１例と同様な構成及び、作用、効果については、その説明を省略すると共に、図面においては同一符号で表記する。
回転繰り出し式筆記具の構成要素について説明する。軸筒５０からなる筆記具であり、前記前軸部２と後軸部５５で構成されている。前記前軸部２は先前軸４と前記後前軸５で構成されている。先前軸４の後方に後前軸５が螺合などの手段によって、着脱自在に固定されており、その先前軸４の外周には、弾力性を有するゴムグリップ６が嵌入されている。また、後前軸５の後方には、クリップ５２を有する回転後軸５１が後軸部５５として嵌着されている。
更に、後前軸５は、回転後軸５１を嵌着するための凹部８を有し、回転後軸５１には、前記後前軸５と嵌着する凸部５６が形成され、相対的な回転が可能な嵌着構造となっている。前記後前軸５の内側には、繰り出しカム軸１０の回転方向の位置決めをする位置決め溝１１が形成されている。繰り出しカム軸１０には、前記後前軸５に形成されている位置決め溝１１に挿入され遊嵌するように、位置決めリブ１２が形成している。前記後前軸５と繰り出しカム軸１０は、後前軸５の位置決め溝１１と繰り出しカム軸１０の位置決めリブ１２により、軸筒５０の軸線上５７に対して平行方向のみの前後動を自在としている。
筆記体ユニット１４は、軸筒５０の内側に配置されており、その筆記体ユニット１４の後端が前記繰り出しカム軸１０の内壁面部に当接係着している。また、筆記体ユニット１４は、前軸部２の内側に内設されたコイルスプリングなどの弾発部材１５により後方に向けて付勢されると共に、繰り出しカム軸１０をも後方に向けて付勢させている。前記クリップ５２は、回転後軸５１外周面に蝶着嵌合で連結されている。そのクリップ５２は、玉部６１が形成された挟持部６２が設けられており、その挟持部６２と軸筒５０の間に狭持物１９が挟みこまれることによって、その狭持物１９を狭持するものとなっている。
【００１６】
前記繰り出しカム軸１０の外周であって後方には、第１螺旋溝２０と第２螺旋溝２１が前後の２段に形成されている。前記繰り出しカム軸１０の第２螺旋溝２１の螺旋溝最後方部２２には、後述するクリップ５２の係合突起５８と係合する凸状の係合受部２４が形成さている。一方、前記回転後軸５１の内側には前記繰り出しカム軸１０の第１螺旋溝２０と遊嵌するボス５９が形成されている。前記クリップ５２には、前記繰り出しカム軸１０の第２螺旋溝２１の螺旋溝最後方部２２に形成された係合受部２４と係合する係合突起５８が形成され、この係合突起５８の先端部は凹部５８ａが形成されている。また、回転後軸５１には、クリップ５２の係合突起５８が軸筒５０の軸線上５７に対し垂直方向に侵入するための、貫通孔６０が形成されている。
前記クリップ５２の構成について説明する。クリップ５２の挟持部６２の玉部６１側をクリップ５２の前方と称す。また、前記クリップ５２と回転後軸５１との連結部５３からの板バネ部６３側を後方と称す。
クリップ５２は、クリップ挟持部６２の前方に玉部６１を形成しおり、クリップ５２と回転後軸５１との連結部５３の後方には、弾性体からなる板バネ部６３を形成している。板バネ部６３は、クリップ５２と第１板状部６４を連結する第１連結部６５と第１板状部６４と、第２板状部６６を連結する第２連結部６７を有している。尚、前記板バネ部６３は単一部材としても良いし、複数の部材から構成しても良い。前記クリップ５２の玉部６１は、狭持物１９が引っ掛かることのない形状としている。具体的に、玉部６１は、前記狭持物１９との接触する軸筒１面側に円弧部６８とその円弧部６８と連なる前方に前方傾斜面部６９、並びに、前記円弧部６８と連なる後方に後方傾斜面部７０を有しており、前記柔軟な狭持物１９がスムーズに通過できる。
【００１７】
前記クリップ５２は、回転後軸５１の後方にクリップ５２と蝶着嵌合している連結部５３と挟持部６２と後方に設けられた板バネ５８とから構成されている。前記板バネ部６３の付勢力は、連結部５３を支点とし、前記クリップ５２の前方挟持部６２の狭持力となる。本例では、前記板バネ部６３を板状物としているが、楕円状であっても良く三角形状などであっても良い。前記構成により、クリップ５２の後方に設けられた板バネ部６３が伸張した場合には、クリップ５２の前方が前記蝶着嵌合している連結部５３を支点にして軸筒５０の軸線上５７に向け作用し、この作用によってクリップ５２の峡持部６２が閉鎖した状態となる。
尚、クリップ５２の後方に設けられた板バネ部６３を収縮させた場合には、クリップ５２の前方は、前記蝶着嵌合している連結部５３を支点にして軸筒５０の軸線上５７から離れる方向に向け作用し、クリップ５２の峡持部５７が拡開した状態となる。
そのクリップ５２は、挟持部６２と前記板バネ部６３が弾性変形するため、その弾性変形に富んだ材質を選択することが好ましい。例えば、前記第１例と同様に、クリップ５２を、ポリカーボネート、ポリアセタール、ポリエチレンテレフタレート、メタクリル、ポリプロピレン、ポリスチレン、塩化ビニル、ポリアミド、アクリロニトリル・ブタジエン・スチレン、アクリロニトリル・スチレン、ポリエチレン、ポリスチレン等の樹脂材で形成することが好ましが、ばね鋼鋼材やばね用ステンレス鋼材、炭素工具鋼鋼材、ばね用冷間圧延鋼材等の金属材としても良く、前記樹脂材と前記ばね用鋼材の複合でも良い。
前記板バネ部６３には、前記第２板状部６６の側面７１に凸部７２が形成されており、その凸部７２を支点として第２板状部６６のクリップ係合突起５８の方向が変更される。回転後軸５１の後方外周面には、前記凸部７２の支点が戴置される凹部７３が形成されている。前記クリップ係合突起５８は、凸部７２を支点とし、クリップ係合突起５８の方向を軸筒５０の軸線上５７や、その軸筒５０の軸線上５７から離れる方向７４へと自在にその方向を替えることができる。
さらに、前記板バネ部６３は、そのクリップ５２と回転後軸５１の前記凹部７３との間に張設されており、前記第２板状部６６に形成された凸部７２を戴置する凹部７３の間で、伸縮自在に作用している。前記クリップ係合突起５８は、繰り出しカム軸１０の係合受部２４と係合する目的で形成されたものであって、クリップ５２の板バネ部６３に形成されている。
【００１８】
次に、前記筆記体ユニット１４の没入状態について説明する。前記筆記体ユニット１４が弾発部材１５により軸筒１の後方へと付勢され、その筆記体ユニット１４の後方に当接係着された前記繰り出しカム軸１０が繰り出しカム軸１０の前記第１螺旋溝壁３５の螺旋溝最前方部３４で前記回転後軸７のボス５９と係合状態にある。このとき、前記繰り出しカム軸１０が軸筒１に対し最後方で停止し維持された状態である。その繰り出しカム軸１０の前方に当接係着した前記筆記体ユニット１４も弾発部材１５の弾発力によって後方へと付勢されている。
次に筆記体ユニット１４が没入状態から突出状態になる状態を示す。前記弾性部材１５により後方に付勢された筆記体ユニット１４は、前記繰り出しカム軸１０が最後方で停止していることで没入状態となっている。この没入状態から前記前軸部２に対して前記回転後軸５１を繰り出しカム軸１０の係合受部２３に向け軸筒５０の軸線上５７を中心に回転させると、この回転後軸５１に形成されたボス５９も共に回転する。そのボス５９の回転に伴って、繰り出しカム軸１０は、ボス５９と当接遊嵌している第1螺旋溝壁３５の傾斜に沿って軸筒５０の前方へ移動する。前記後前軸５と繰り出しカム軸１０は、後前軸５に対して回転は不可能であるが前後動は可能となっているからである。つまり、後前軸５の位置決め溝１１に繰り出しカム軸１０の位置決めリブ１２が嵌まり込んでいるのである。前記繰り出しカム軸１０が最前方へと移動完了した時点で、前記繰り出しカム軸１０の係合受部２４と前記クリップ５２の係合突起５８が係合する。この係合により、前記繰り出しカム軸１０は、最前方で停止した状態を維持することになり、繰り出しカム軸１０の前方に当接係着した筆記体ユニット１４も前記弾発部材１５を収縮させたて突出状態となる。
次に、前記筆記体ユニット１４が突出状態から、没入状態になる過程を示す。前記回転後軸５１を前軸部２に対して軸筒５０の軸線上５７を中心に前記繰り出しカム軸１０の係合受部２４から前記螺旋溝最前方部３４に向かって回転する。その回転後軸５１の回転により、回転後軸５１に連結されているクリップ５２の係合突起５８と繰り出しカム軸１０の係合突起５８との係合が外れ解除される。詳述すると、前記回転後軸５１の回転に伴い繰り出しカム軸１０は、前記ボス５９と当接遊嵌している繰り出しカム軸１０の第１螺旋溝壁２５の傾斜に沿って、相対的に後方のみへと移動し、前記ボス５９と繰り出しカム軸１０の螺旋溝部３７の螺旋溝最前方部３４が係合維持することで、繰り出しカム軸１０は軸筒５０に対して最後方に停止し、その状態を維持する。この繰り出しカム軸１０の後退動作に伴い前記繰り出しカム軸１０の前方に当接係着している筆記体ユニット１４も前記弾発部材１５の付勢により後方へと後退し没入状態となる。
【００１９】
次に、本実施例のセーフティー機構について説明する。セーフティー機構とは、前記回転後軸５１とクリップ５２の峡持部６２との間に衣服のポケットなどの峡持物１９を峡持した場合に、クリップ５２の峡持部６２が拡開し、筆記体ユニット１４が突出状態から没入状態になる機構である。つまり、クリップ５２に挟持物１９が挟持されると、クリップ５２の係合突起５８と繰り出しカム軸１０の係合受部２４との係合が外れ解除される。その解除により筆記体ユニット１４が没入状態となるのである。
次に、前記セーフティー機構の詳細を説明する。前述したように、繰り出しカム軸１０の係合受部２４がクリップ５２の係合突起５８に係合することによって、筆記体ユニット１４の突出状態が維持されている。前記クリップ５１の峡持部６２の拡開動作は、クリップ５１の狭持部６２と、回転後軸５１の間に峡持物１９を挟むことによりなされ、そのクリップ５１の峡持部６２の拡開動作に伴い、クリップ５１の係合突起５８が繰り出しカム軸１０の係合受部２４から離間し、係合が解除される。この係合の解除により、繰り出しカム軸１０は、記筆記体ユニット１４を後方へ付勢している弾発部材１５によって後退すると共に、筆記体ユニット１４も後方へと押し上げられる。その時、回転後軸５１は、繰り出しカム軸１０の第１螺旋溝２０と遊嵌している回転後軸５１のボス５９により、前記第１螺旋溝壁３５の傾斜面に沿って、繰り出しカム軸１０の螺旋溝部３７の螺旋溝最前方部３４に向かって回転する。この回転動作に伴い、軸筒１に対し前後動のみ自在とした繰り出しカム軸１０が後方へと移動し、筆記体ユニット１４が没入状態となる。
次に、セーフティー機構の係合解除を具体的に説明する。前述の通り、繰り出しカム軸１０の係合受体２４が前記クリップ５２の係合突起５８に係合することで、筆記体ユニット１４が突出状態になっている。ここで、前記クリップ５２の峡持部６２を拡開させると、前記板バネ部６３が軸筒５０の軸線上５７に向かってに収縮する。この収縮動作によって、前記第２板状部６６は凸部７２を支点として回転する。即ち、第２板状部６６の後方部が軸筒５０の軸線上５７の方向に移動する一方、前方部が軸筒５０の軸線上５７から離れる方向に移動する。これによって、筒軸５０の軸線上５７の方向に向いていたクリップ５２の係合突起５８は、凸部７２を支点として、軸筒５０の軸線上５７から離れる方向７４へと替えられることで、前記繰り出しカム軸１０の係合受体２４からクリップ係合突起５８が外れ係合が解除される。
この係合の解除により、繰り出しカム軸１０は、筆記体ユニット１４を後方へ付勢している弾発部材１５によって後退すると共に、筆記体ユニット１４も後方へと押し上げられ、筆記体ユニット１４が没入状態となる。つまり、クリップ５２の峡持部６２が拡開することでペン先３３等が没入する。
【図面の簡単な説明】
【００２０】
【図１】回転繰り出し式筆記具の構成概略図（第１実施例）。
【図２】図１の要部拡大図。
【図３】繰り出しカム軸の螺旋溝と回転後軸のボスの概略関連拡大図。
【図４】繰り出しカム軸の正面側模式図。
【図５】繰り出しカム軸の背面側模式図。
【図６】筆記体ユニットの没入状態の概略図及び、筆記体ユニットを突出状態にするために後の回転方向を示した概略図。
【図７】前記図６の動作展開図（筆記体ユニットが没入状態から突出状態になる例）。
【図８】筆記体ユニットの突出状態の概略図及び、筆記体ユニットを没入状態にするために  後軸部の回転方向を示した概略図。
【図９】前記図８の動作展開図（筆記体ユニットが突出状態から没入状態になる例）。
【図１０】セーフティー解除機構により筆記体ユニットの突出状態が没入状態になる動作例の概略図。
【図１１】図１０の要部拡大図。
【図１２】セーフティー解除機構により筆記体ユニットの突出状態が没入状態になる動作例の概略図。
【図１３】セーフティー解除機構により筆記体ユニットの突出状態が没入状態になる動作例の概略図。
【図１４】図１０から図１３の動作展開図（繰り出しカム軸の係合受部とクリップ係合突起の係合解除後のボスと繰り出しカム軸の動作の例）。
【図１５】回転繰り出し式筆記具の構成概略図（第２実施例）。
【図１６】クリップの模式図（第２実施例）。
【図１７】クリップの係合突起と繰り出しカム軸の係合受部がクリップの峡持部に峡持物を挟むことで係合解除される例の概略拡大図。
【符号の説明】
【００２１】
１      軸筒
２      前軸部
３      後軸部
４      先前軸
５      後前軸
６      ゴムグリップ
７      回転後軸
７ａ    圧入孔
８      凹部
９      凸部
１０    繰り出しカム軸
１１    位置決め溝
１２    位置決めリブ
１３    軸線上
１４    筆記体ユニット
１５    弾発部材
１６    クリップ
１７    玉部
１８    狭持部
１９    狭持物
２０    第１螺旋溝
２１    第２螺旋溝
２２    螺旋溝最後方部
２３    係合突起
２３ａ  凹部
２４    係合受部
２５    ボス
２６    係着体
２７    貫通孔
２８    連結部
２９    折り返し部
３０    円弧部
３１    前方傾斜面部
３２    後方傾斜面部
３３    ペン先
３３ａ  リフィール
３４    螺旋溝最前方部
３５    第１螺旋溝壁
３７    螺旋溝部
３９    外周面
４０    後方
４１    突部
４２    凸部
５０    軸筒
５１    回転後軸
５２    クリップ
５３    連結部
５４    後方
５５    後軸部
５６    凸部
５７    軸線上
５８    係合突起
５８ａ  凹部
５９    ボス
６０    貫通孔
６１    玉部
６２    挟持部
６３    板バネ部
６４    第１板状部
６５    第１連結部
６６    第２板状部
６７    第２連結部
６８    円弧部
６９    前方傾斜面部
７０    後方傾斜面部
７１    側面
７２    凸部
７３    凹部
７４    方向
７５    外周面
【図１】
2008162066.tif 000003
【図２】
2008162066.tif 000004
【図３】
2008162066.tif 000005
【図４】
2008162066.tif 000006
【図５】
2008162066.tif 000007
【図６】
2008162066.tif 000008
【図７】
2008162066.tif 000009
【図８】
2008162066.tif 000010
【図９】
2008162066.tif 000011
【図１０】
2008162066.tif 000012
【図１１】
2008162066.tif 000013
【図１２】
2008162066.tif 000014
【図１３】
2008162066.tif 000015
【図１４】
2008162066.tif 000016
【図１５】
2008162066.tif 000017
【図１６】
2008162066.tif 000018
【図１７】
2008162066.tif 000019